(57)【要約】【課題】  組立ておよび解体が繰り返し可能なユニットハウスにおいて、輸送時の高さ寸法を低く抑えることにより、輸送効率が向上し、また設置現場での組立て時には施工を容易にし、更には設置時間を短縮することのできるユニットハウスを提供する。【解決手段】  組立ておよび解体が繰り返し可能に形成されたユニットハウス１００であって、少なくとも壁部材１０と天井部材１１とを有するハウジング本体１と、前記壁部材１０の上部にヒンジ２０を介して取り付けられた上部壁パネル１３と、前記上部壁パネル１３を起立した状態に固定する固定手段（ステー２１）とを備える。【選択図】  図３
2005273228.tif 000002
【特許請求の範囲】
【請求項１】
組立ておよび解体が繰り返し可能に形成されたユニットハウスであって、
少なくとも壁部材と天井部材とを有するハウジング本体と、
前記壁部材の上部にヒンジを介して取り付けられた上部壁パネルと、
前記上部壁パネルを起立した状態に固定する固定手段とを備えたことを特徴とするユニットハウス。
【請求項２】
前記固定手段は、一端が前記天井部材に取り付けられ、他端が上部壁パネルに取り付けられるステーであることを特徴とする請求項１に記載されたユニットハウス。
【請求項３】
前記壁部材の上部の妻側と桁側が交差する角部には、妻側と桁側に配置された上部壁パネル同士が重ならないように、上部壁パネルが設置されない領域が設けられていることを特徴とする請求項１または請求項２に記載されたユニットハウス。
【請求項４】
前記壁部材の上部の妻側と桁側が交差する角部に設置されるコーナ部材を備え、
前記コーナ部材により妻側の上部壁パネルと桁側の上部壁パネルとが連結固定されることを特徴とする請求項３に記載されたユニットハウス。
【請求項５】
前記ハウジング本体を複数具備し、
前記複数のハウジング本体が並列に連結されて室内空間が形成されていることを特徴とする請求項１乃至請求項４のいずれかに記載されたユニットハウス。
【発明の詳細な説明】
【技術分野】
【０００１】
本発明は、組立ておよび解体が繰り返し可能なユニットハウスにおいて、設置現場での施工が容易なユニットハウスに関する。
【背景技術】
【０００２】
ショッピングモールやイベント会場等では、簡易的な建屋による店舗が必要とされる場合が多く、その場合には従来から、設置が容易なユニットハウスが多く用いられている。このようなユニットハウスを用いた簡易的な店舗については、例えば、特許文献１（特開平９−８８３６０号公報）に記載されている。
【０００３】
一方、前記ユニットハウスを用いた簡易店舗を、長期設置型の大型店舗やコンビニエンスストアに活用する場合には、よりスペースが必要となるために、複数のユニットを繋げて一つの建屋とする（連棟と呼ぶ）必要がある。なお、このユニットハウスの連棟に関しては、例えば、特許文献２（実開平５−３２５５９号公報）に記載されている。
【特許文献１】特開平９−８８３６０号公報
【特許文献２】実開平５−３２５５９号公報
【発明の開示】
【発明が解決しようとする課題】
【０００４】
ところで、前記のように大型店舗やコンビニエンスストアにおいては、通常、店舗名等を記した壁パネル（以下、上部壁パネルと称す）が屋根の上部に設けられる。しかしながら、この上部壁パネルを取付施工した状態のユニットハウスを設置現場まで輸送しようとすれば、ユニットハウスの高さ寸法が高くなり、車両で安全に輸送できないという課題があった。
【０００５】
また、このようにユニットハウス全体の高さ寸法が高くなると、例えば車両輸送の際に、最短輸送ルート中に道路の高さ規制を受ける確率が高くなり、迂回ルートを選択しなければならず、輸送効率が低下するという課題があった。
更に、前記高さ寸法の問題により、設置現場で前記上部壁パネルの取付作業を行なう場合には、ユニットハウスの組立てに、より時間を費やすという課題があった。
【０００６】
本発明は、前記したような事情の下になされたものであり、組立ておよび解体が繰り返し可能なユニットハウスにおいて、輸送時の高さ寸法を低く抑えることにより、輸送効率が向上し、また設置現場での組立て時には施工を容易にし、更には設置時間を短縮することのできるユニットハウスを提供することを目的とする。
【課題を解決するための手段】
【０００７】
前記した課題を解決するために、本発明にかかるユニットハウスは、組立ておよび解体が繰り返し可能に形成されたユニットハウスであって、少なくとも壁部材と天井部材とを有するハウジング本体と、前記壁部材の上部にヒンジを介して取り付けられた上部壁パネルと、前記上部壁パネルを起立した状態に固定する固定手段とを備えたことに特徴を有する。
なお、前記固定手段は、一端が前記天井部材に取り付けられ、他端が上部壁パネルに取り付けられるステーであることが好ましい。
このように構成すれば、上部壁パネルを別体の部材として取り付け、または取り外しするよりも、設置時および解体時における作業時間を大幅に短縮することができる。
また、設置現場までの輸送時には、上部壁パネルを折り畳んだ状態で輸送できるため、ユニットハウスの高さを低く抑えることができ、車両で安全に輸送することができる。さらに、ユニットハウス全体の高さ寸法を低く抑えることができるため、車両輸送の際に、最短輸送ルート中、道路の高さ規制を受ける確率が低くなり、輸送効率を向上することができる。
【０００８】
また、前記壁部材の上部の妻側と桁側が交差する角部には、妻側と桁側に配置された上部壁パネル同士が重ならないように、上部壁パネルが設置されない領域が設けられていることが望ましい。
このように構成すれば、妻側と桁側の上部壁パネルを折り畳んだ状態で、それぞれの上部壁パネルが重ならないようにすることができ、輸送時におけるユニットハウスの高さ寸法をより低く抑えることができる。
【０００９】
また、前記壁部材の上部の妻側と桁側が交差する角部に設置されるコーナ部材を備え、前記コーナ部材により妻側の上部壁パネルと桁側の上部壁パネルとが連結固定されることが望ましい。
このようにすれば、組立て完成時において、構造上の強度を向上することができると共に、外観をよりよくすることができる。
【００１０】
また、前記ハウジング本体を複数具備し、前記複数のハウジング本体が並列に連結されて室内空間が形成されていることが望ましい。
このようにすれば、設置場所への輸送時にはハウジング本体毎に輸送し、設置場所において連結するのみで、広い室内空間を有するユニットハウスを得ることができる。
【発明の効果】
【００１１】
本発明によれば、組立ておよび解体が繰り返し可能なユニットハウスにおいて、輸送時の高さ寸法を低く抑えることにより、輸送効率が向上し、また設置現場での組立て時には施工を容易にし、更には設置時間を短縮することのできるユニットハウスを提供することができる。
【発明を実施するための最良の形態】
【００１２】
以下、本発明にかかる実施の形態につき図に基づいて説明する。図１は、本発明に係るユニットハウスの完成時の外観を示す斜視図である。このユニットハウス１００は、室内空間を有するハウジング本体１と、このハウジング本体１の上部に設置された上部壁パネル１３とで構成される。なお、このユニットハウス１００は、例えば大型店舗やコンビにハウスに利用することができ、前記上部壁パネル１３には、看板としての店名の表記等（図示せず）を施すことができる。
【００１３】
図２（ａ）〜（ｃ）に示すように、前記ハウジング本体１は、複数（図では３つ）のハウジング本体１ａ〜ｃが並列に連結（連棟）されて構成されたものである。ハウジング本体１ａ〜ｃのそれぞれは、壁部材１０と天井部材１１と床部材１２とで構成された箱体であって、他のハウジング本体と連結する面には壁部材１０が設けられず、開放された状態となっている。すなわち、複数のハウジング本体を連結（連棟）することによって、室内を形成し、その空間を広く確保するようになされている。なお、それぞれの壁部材１０には、必要に応じて窓１０ａや扉１０ｂ等が形成されている。
【００１４】
また、ハウジング本体１の上部に設けられた前記上部壁パネル１３は、図示するように壁部材１０の面に沿って立設されている。そして、図２（ａ）、（ｃ）に示すように前記壁部材１０の上部において、妻側と桁側が交差する角部には、前記上部壁パネル１３が設置されない領域Ｃが設けられている。この領域Ｃには、組立ての際にコーナ部材１４が設置され、このコーナ部材１４により妻側の上部壁パネル１３と桁側の上部壁パネル１３とが連結固定される。
なお、前記領域Ｃは、妻側と桁側に配置された上部壁パネル１３をそれぞれ折り畳んだ状態で、前記上部壁パネル１３同士が重ならないように設けられている。
【００１５】
続いて、前記上部壁パネル１３について、図３乃至図５に基づき、さらに詳細に説明する。図３は、ハウジング本体と上部壁パネルとの接続構成を説明するための一部拡大図、図４は、ハウジング本体に対して上部壁パネルが回動する構成を説明するための側面図、図５はハウジング本体に対して上部壁パネルを折り畳んだ状態を示す斜視図である。
【００１６】
図３に示すように、ユニットハウス１００の完成状態においては、前記したようにコーナ部材１４を介し、妻側と桁側に配置される上部壁パネル１３同士がブラケット１５およびボルト１６により連結固定されている。
また、図３、図４に示すように上部壁パネル１３は、壁部材１０の上部にヒンジ２０を介して回動自在に取り付けられている。さらに上部壁パネル１３は、折り畳み機構を有するステー２１（固定手段）によって支持されている。尚、ユニットハウス１００の完成状態（組立状態）にあっては、この上部壁パネル１３は、ステー２１によって天井部材１１に対して起立した状態でハウジング本体１に固定される。
【００１７】
このステー２１について更に詳しく説明すると、ステー２１の端部２１ａは上部壁パネル１３にボルト１７により取り付けられたフランジ２１ｅに対して回動自在に取り付けられている。また、他方の端部２１ｃは、図３に示すように天井部材１１に複数形成された突出ボルト１１ａのいずれかに対しナット３０により固定されるフランジ２１ｆに対して回動自在に取り付けられている。尚、端部２１ｃが固定される突出ボルト１１ａの位置により上部壁パネル１３の傾斜が調整できるようになされている。
【００１８】
また、ステー２１の中央には細長い孔としてのスロット２１ｂが形成され、ステー２１は、このスロット２１ｂ内を摺動自在に設けられたボルト２１ｄを軸として折り畳み自在に構成されている。
そして、組立て時において上部壁パネル１３が天井部材１１に対して起立した状態にされると、ステー２１は、図３、図４（ｂ）に示すように略一直線状となり、その状態でボルト２１ｄを締め付け、スロット２１ｂ内を摺動しないように固定する。
一方、解体時（輸送時）には、前記ナット３０を外し、ボルト２１ｄを弛めて、図４（ａ）に示すようにステー２１を折り畳むことにより、上部壁パネル１３はヒンジ２０を中心に回動され、折り畳まれる。
【００１９】
このように各上部壁パネル１３は、ハウジング本体１ａ〜ｃに対して回動自在に取り付けられており、図５（ａ）〜（ｃ）に示すように解体時（輸送時）においては全ての上部壁パネル１３が天井部材１１上に折り畳まれる。なお、そのときコーナ部材１４はハウジング本体１ａ〜ｃから取り外された状態にされる。
【００２０】
以上説明した一実施の形態によれば、上部壁パネル１３がハウジング本体１に対し回動自在に取り付けられているため、組立て時には容易に壁部材１０の上部に起立させた状態で固定することができる。また、解体時（輸送時）には容易に天井部材１１に平行な状態にまで折り畳んだ状態とすることができる。したがって、上部壁パネルを別体の部材として取り付け、または取り外しするよりも、設置時および解体時における作業時間を大幅に短縮することができる。
【００２１】
また、設置現場までの輸送時には、上部壁パネル１３を折り畳んだ状態で輸送できるため、ユニットハウスの高さを低く抑えることができ、車両で安全に輸送することができる。さらに、ユニットハウス全体の高さ寸法を低く抑えることができるため、車両輸送の際に、最短輸送ルート中、道路の高さ規制を受ける確率が低くなり、輸送効率を向上することができる。
【００２２】
また、壁部材１０の上部において、妻側と桁側が交差する角部には、上部壁パネル１３が設置されない領域Ｃが設けられているため、妻側と桁側に配置された上部壁パネル１３をそれぞれ折り畳んだ際に、前記上部壁パネル同士が重ならないようにすることができる。したがって、輸送時におけるユニットハウスの高さ寸法をより低く抑えることができる。
【００２３】
また、組立ての際に、前記領域Ｃにコーナ部材１４を設け、このコーナ部材１４により妻側の上部壁パネル１３と桁側の上部壁パネル１３とを連結固定しているため、構造上の強度を向上することができると共に、外観をよりよくすることができる。
【００２４】
また、前記ハウジング本体１は複数のハウジング本体１ａ〜ｃを並列に連結して構成するようになされているため、設置場所への輸送時にはハウジング本体毎に輸送し、設置場所において連結するのみで、広い室内空間を有するユニットハウスを得ることができる。
【産業上の利用可能性】
【００２５】
本発明は、組立ておよび解体が繰り返し可能なユニットハウスにおいて好適に用いることができる。
【図面の簡単な説明】
【００２６】
【図１】図１は、本発明に係るユニットハウスの完成時の外観を示す斜視図である。
【図２】図２は、図１のユニットハウスをハウジング本体毎に示す斜視図である。
【図３】図３は、ハウジング本体と上部壁パネルとの接続構成を説明するための一部拡大図である。
【図４】４は、ハウジング本体に対して上部壁パネルが回動する構成を説明するための側面図である。
【図５】図５は、ハウジング本体に対して上部壁パネルを折り畳んだ状態を示す斜視図である。
【符号の説明】
【００２７】
１        ハウジング本体  １０      壁部材
１１      天井部材
１２      床部材
１３      上部壁パネル
１４      コーナ部材
２０      ヒンジ
２１      ステー（固定手段）
１００    ユニットハウス
Ｃ        領域
【図１】
2005273228.tif 000003
【図２】
2005273228.tif 000004
【図３】
2005273228.tif 000005
【図４】
2005273228.tif 000006
【図５】
2005273228.tif 000007